(57)【要約】【課題】売上情報管理センターと自動販売機管理センターとの間の決済処理の信憑性を確実に判断できる、自動販売機の売上情報処理システムを提供する。【解決手段】利用者識別情報を有する記録媒体が正当であるかどうかを判別し、記録媒体が正当であると判別したとき、販売商品の売上情報を記憶する判別部、判別部の記憶形態と異なる形態で販売商品の売上情報を記憶する記憶部、を有し、自動販売機管理センターと、判別部が記憶する販売商品の売上情報を受信し、自動販売機管理センターに対して、販売商品の売上情報の決済処理を実行する売上情報管理センターと、ともに自動販売機の決済処理システムをなす、自動販売機であって、判別部が記憶する販売商品の売上情報、及び記憶部が記憶する販売商品の売上情報に対して、販売商品の販売毎に販売の順序に基づいて関連する記号を付与するための記号付与手段を設けたことを特徴とする自動販売機。【選択図】        図１
2004287741.tif 000002
【特許請求の範囲】
【請求項１】
利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有し、
自動販売機管理センターと、
前記判別部が記憶する販売商品の売上情報を受信し、前記自動販売機管理センターに対して、前記販売商品の売上情報の決済処理を実行する売上情報管理センターと、
ともに自動販売機の決済処理システムをなす、
自動販売機であって、
前記判別部が記憶する販売商品の売上情報、及び前記記憶部が記憶する販売商品の売上情報に対して、当該販売商品の販売毎に当該販売の順序に基づいて関連する記号を付与するための記号付与手段を設けたことを特徴とする自動販売機。
【請求項２】
前記関連する記号は、前記販売商品の販売の順序と同一の番号であることを特徴とする請求項１に記載の自動販売機。
【請求項３】
利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有し、
自動販売機管理センターと、
前記判別部が記憶する販売商品の売上情報を受信し、前記自動販売機管理センターに対して、前記販売商品の売上情報の決済処理を実行する売上情報管理センターと、
ともに自動販売機の決済処理システムをなす、
自動販売機の売上情報処理方法であって、
前記判別部が記憶する販売商品の売上情報、及び前記記憶部が記憶する販売商品の売上情報に対して、当該販売商品の販売毎に当該販売の順序に基づいて関連する記号を付与することを特徴とする自動販売機の売上情報処理方法。
【発明の詳細な説明】
【０００１】
【発明の属する技術分野】
本発明は、自動販売機の決済処理システムに用いる売上情報処理装置、及び売上情報処理方法に関する。
【０００２】
【従来の技術】
記録媒体に記録されている利用者識別情報を読み取って商品を販売する自動販売機は、販売商品の売上決済を行うための手段として、利用者識別情報、商品の販売時刻及び販売金額等を関連付けた売上情報を商品の販売の都度記憶し、当該売上情報を締め等の要求に応じて売上情報管理センターに送信する売上情報記憶モジュールを内蔵している。売上情報管理センターは、売上情報記憶モジュール内の売上情報を一旦受信すると、自動販売機を管理する自動販売機管理センターに対して、当該売上情報に相当する入金処理を実行する。これにより、売上情報管理センターと自動販売機管理センターとの間の決済処理を終了することとなる。
【０００３】
ところで、売上情報管理センターが売上情報記憶モジュールを管理している場合、自動販売機管理センターは、売上情報記憶モジュール内の売上情報を確認できずに、売上情報管理センターの決済処理の信頼性を判断できなくなる。
【０００４】
そのため、売上情報記憶モジュール内の売上情報を売上情報管理センターに送信する都度、自動販売機内の記憶部が独自に記憶する、商品名、商品の販売時刻及び販売金額等を関連付けた売上情報を自動販売機内のプリンタで印刷することによって、売上情報管理センターの決済処理の信憑性を判断する材料としていた。具体的には、例えば、前記の２つの売上情報に共通する販売時刻毎に、当該２つの売上情報の販売金額を比較しこれが一致すれば、売上情報処理センターの決済処理が正しいものであったことが判断できる。
【０００５】
このような自動販売機においては、売上情報記憶モジュールが記憶する売上情報の商品の販売時刻と、記憶部が記憶する売上情報の商品の販売時刻とは、それぞれ別々のタイマに基づいていた。
【０００６】
【特許文献１】
特開２００２−９９９５０号公報
【０００７】
【発明が解決しようとする課題】
しかしながら、前記の２つのタイマが正確に同期していない場合には、例えば、短い時間に大量の商品が販売された場合、図８に示されるように、売上情報記憶モジュールの売上情報のデータと、記憶部の売上情報のデータとが相違する恐れがある。図８は、締めにより抽出された、売上情報記憶モジュールが記憶する売上情報のデータ（図８（ａ））及び記憶部が記憶する売上情報のデータ（図８（ｂ））の構成を示す図である。ここで、締めの時刻（「２１：２０」）は記憶部が基準とするタイマに基づいている。図８（ａ）に示されるデータの時刻は、図８（ｂ）に示されるデータの時刻よりも、例えば１０分間進んでいるものとする。図８（ａ）に示されるデータの先頭３つに記憶された販売金額（「１１０」、「１２０」、「１５０」）と、図８（ｂ）に示されるデータの先頭３つに記憶された販売金額（「１１０」、「１２０」、「１５０」）とは一致している。よって、このような販売金額の一致と、販売時刻の略一致とから、図８における先頭に記載された商品は同一と判断できる。しかしながら、図８（ｂ）のデータの時刻を基準として締められた場合、図８（ａ）の斜線部分に対応するデータの終端部に集中して記憶された３つの販売は売上情報として含まれなくなる。よって、図８に示される例においては、記憶部に記憶された売上情報としての商品の販売件数は２００であるのに対して、売上情報記憶モジュールに記憶された売上情報としての商品の販売件数は１９７となり、２つの売上情報は一致しない。
【０００８】
売上の締めの時刻において商品販売の平均時間間隔が前記の２つのタイマ間の時間のずれに近づいたとき、前述のような２つのデータ間の相違が発生する恐れがある。このように、２つの売上情報が一致しなければ、決済処理の正否を判断できない。
【０００９】
そこで、本発明は、売上情報管理センターと自動販売機管理センターとの間の決済処理の信憑性を確実に判断できる、自動販売機の売上情報処理システムを提供することを目的とする。
【００１０】
【課題を解決するための手段】
前記課題を解決するための発明は、利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有し、自動販売機管理センターと、前記判別部が記憶する販売商品の売上情報を受信し、前記自動販売機管理センターに対して、前記販売商品の売上情報の決済処理を実行する売上情報管理センターと、ともに自動販売機の決済処理システムをなす、自動販売機であって、前記判別部が記憶する販売商品の売上情報、及び前記記憶部が記憶する販売商品の売上情報に対して、当該販売商品の販売毎に当該販売の順序に基づいて関連する記号を付与するための記号付与手段を設けたことを特徴とする。前記自動販売機によれば、判別部が記憶する販売商品の売上情報と、記憶部が記憶する販売商品の売上情報とを当該２つの売上情報に関連する記号毎に比較できるために、売上情報管理センターと自動販売機管理センターとの間の決済処理の信憑性を容易且つ正確に判断できる。
【００１１】
また、かかる自動販売機に用いる前記関連する記号は、前記販売商品の販売の順序と同一の番号であることを特徴とする。前記自動販売機によれば、判別部が記憶する販売商品の売上情報と、記憶部が記憶する販売商品の売上情報とを当該２つの売上情報に共通な番号毎に比較できるために、売上情報管理センターと自動販売機管理センターとの間の決済処理の信憑性をより容易に判断できる。
【００１２】
更に、利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有し、自動販売機管理センターと、前記判別部が記憶する販売商品の売上情報を受信し、前記自動販売機管理センターに対して、前記販売商品の売上情報の決済処理を実行する売上情報管理センターと、ともに自動販売機の決済処理システムをなす、自動販売機の売上情報処理方法であって、前記判別部が記憶する販売商品の売上情報、及び前記記憶部が記憶する販売商品の売上情報に対して、当該販売商品の販売毎に当該販売の順序に基づいて関連する記号を付与することも、実現可能である。
【００１３】
【発明の実施の形態】
本明細書及び添付図面の記載により、少なくとも以下の事項が明らかとなる。
【００１４】
＝＝＝自動販売機の決済処理システム＝＝＝
図１を参照しつつ、本発明の自動販売機の決済処理システムについて説明する。図１は、本発明の自動販売機の決済処理システムを説明するためのブロック図である。
【００１５】
自動販売機２における後述する売上情報記憶モジュール１２（判別部）、自動販売機管理センター４、売上情報管理センター６は、通信回線１０を通して各種データを送受信可能である。
【００１６】
自動販売機２は、記録媒体に記録されている利用者識別情報、金銭情報等を読み取ることによって、利用者が商品選択釦等を押下することで要求される商品を販売するものである。尚、記録媒体としては、接触型又は非接触型のＩＣカード、携帯端末等、各種存在するが、説明の便宜上、非接触型ＩＣカードとして説明することとする。自動販売機２は、販売商品の売上情報を記憶する手段として、売上情報記憶モジュール１２及び制御部ＲＡＭ１４（記憶部）を有する。売上情報記憶モジュール１２は、非接触型ＩＣカード内の利用者識別情報、金銭情報等をアンテナ１６を介して読み取って正当性を判別し、非接触型ＩＣカード内の利用者識別情報、金銭情報等が正当であるものと判別すると、当該金銭情報を自動販売機２内の制御部（不図示）に送信可能とするものである。更に、売上情報記憶モジュール１２は、現在時刻を計時するタイマ１８を有し、自動販売機２が商品を販売する都度、利用者識別情報、商品の販売時刻及び販売金額を関連付けた売上情報を内部記憶素子（不図示）に記憶する。一方、制御部ＲＡＭ１４は、自動販売機２が商品を販売する都度、商品名、商品の販売時刻及び販売金額を関連付けた売上情報、即ち、売上情報記憶モジュール１２と異なる記憶形態の売上情報を記憶するものである。
【００１７】
自動販売機管理センター４は、屋内、屋外等の各種ロケーションに設置される複数の自動販売機２の管理（売上、故障等）を行うための機能を有するものである。営業所２０は、自動販売機２と自動販売機管理センター４との間の仲介を行うものである。例えば、営業所２０の従業員（ルートマン）は、複数の自動販売機２に対して、商品装填、メンテナンス等を行う。一方、営業所２０は、自動販売機管理センター４に対して、商品発注等を行う。尚、営業所２０は、自動販売機管理センター４が管理する営業所、又は自動販売機管理センター４とは独立する営業所の何れでもよい。
【００１８】
売上情報管理センター６は、複数の自動販売機２の売上情報管理モジュール１２が記憶している売上情報を受信する。その後、売上情報管理センター６は、自動販売機管理センター４に対して、当該売上情報の決済処理（銀行振込、電子マネー処理等）を実行する。尚、売上情報管理センター６は、自動販売機管理センター４とは独立しており、売上情報記憶モジュール１２内の売上情報を独立して管理している。そのため、自動販売機管理センター４は、売上情報記憶モジュール１２内の売上情報を確認できない状態となっている。
【００１９】
売上情報記憶モジュール１２は、一定期間（１０日間、１ヶ月等）又は締要求の都度、後述するルートマンの操作によって、当該売上情報記憶モジュール１２内の売上情報を売上情報管理センター６に送信する。この送信と同時に、後述する印刷装置２２６は、制御部ＲＡＭ１４内の売上情報を印刷する。これにより、自動販売機管理センター４は、売上情報記憶モジュール１２内の売上情報を確認できないが、制御部ＲＡＭ１４内の売上情報を参照することによって、売上情報管理センター６が実行する決済処理の信憑性を確実且つ容易に判断することが可能となる。
【００２０】
＝＝＝自動販売機の前面構成＝＝＝
図２を参照しつつ、本発明に係る自動販売機の前面構成の一例を説明する。図２は、本発明に係る自動販売機の正面図の一例である。なお、本実施形態では、自動販売機は、カップ飲料を販売することとする。
【００２１】
前扉１０２は、自動販売機の右側面端を支軸として開閉するものであり、カップ飲料を調理するときに必要となる、希釈水、炭酸水、濃縮液体原料等を混合したり、砂糖、クリーム、氷等を添加したりするためのデータ設定や、販売機構のメンテナンスを行うときは解錠して開き、通常販売を行うときは施錠して閉じておくものである。パネル１０４は、透明な樹脂板であり、内部に陳列されている複数種類のカップ飲料サンプル１０６を確認するためのものである。つまり、利用者は、パネル１０４を通して複数種類のカップ飲料サンプル１０６を見渡すことにより、購入を希望するカップ飲料を選択できる。尚、複数種類のカップ飲料の写真又は絵柄をパネル１０４に印刷してもよい。
【００２２】
売上情報記憶モジュール１２は、全登録利用者の利用者識別情報を記憶する利用者登録テーブル（不図示）を有し、非接触型ＩＣカード１０８内の利用者識別情報、金銭情報等を読み取った後、利用者識別情報が利用者登録テーブルに存在するかどうかを逐次比較して正当性を判別する。売上情報記憶モジュール１２は、利用者識別情報が正当であるものと判別すると、金銭情報が認識可能な価値情報であるかどうかを更に判別する。そして、売上情報記憶モジュール１２は、金銭情報が正当であるものと判別すると、金銭情報を自動販売機２内の主制御部（不図示）に送信可能とする。尚、硬貨、紙幣等の価値を識別して商品を販売するための貨幣処理部（不図示）を付設してもよい。
【００２３】
金額表示部１１０は、正当と判別される非接触型ＩＣカード１０８内の金銭情報を表示するものである。値段ラベル１１２は、カップ飲料サンプル１０６の下部に１対１に対応して配設されるものである。商品選択釦１１４は、販売可ランプ及び売切ランプを内蔵し、カップ飲料サンプル１０６の下部に１対１に対応して配設されるものである。上記の販売可ランプは、金額表示部１１０に表示される金銭情報が１杯のカップ飲料の金額以上であるとき、自動販売機２内部の希釈水タンク、炭酸水タンク、濃縮液体原料タンクが中味を有する場合のみ、このカップ飲料に対応するものが点灯する。上記の売切ランプは、希釈水タンクが空になると、希釈水を使用するカップ飲料に対応するものが常時点灯し、炭酸水タンクが空になると、炭酸水を使用するカップ飲料に対応するものが常時点灯し、何れかの濃縮液体原料タンクが空になると、この濃縮液体原料を使用するカップ飲料に対応するものが常時点灯する。
【００２４】
増量釦１１２、１１４、１１６は、１杯のコーヒー飲料を調理する際にコーヒー原料、砂糖、クリームの増量を希望するとき、商品選択釦１１４を押下する前に押下するものである。同様に、減量釦１１８、１２０、１２２は、１杯のコーヒー飲料を調理する際にコーヒー原料、砂糖、クリームの減量を希望するとき、商品選択釦１１４を押下する前に押下するものである。増減表示部１２４は、コーヒー原料、砂糖、クリームの増減の度合を表示するものである。氷なし釦１２６は、１杯のＣＯＬＤ飲料を調理する際に氷の添加を希望しないとき、商品選択釦１１４を押下する前に押下するものである。増量釦１１２、１１４、１１６、減量釦１１８、１２０、１２２、氷なし釦１２６を必要に応じて押下し、その後、販売可ランプが点灯している商品選択釦１１４を押下すると、このカップ飲料サンプル１０６に対応するカップ飲料が調理され、商品取出口１２８から取り出し可能となる。
【００２５】
販売中ランプ１３０は、カップ飲料が正常販売されるときに点灯するものである。販売中止ランプ１３２は、全カップ飲料が売り切れとなったとき、或いは、カップ飲料を調理するための販売機構部が故障したとき、点灯するものである。尚、販売中ランプ１３０、販売中止ランプ１３２は、金額表示部１１０の基板上に配設される。
【００２６】
＝＝＝自動販売機の制御構成＝＝＝
図３を参照しつつ、本発明に係る自動販売機の制御構成の一例について説明する。図３は、本発明に係る自動販売機の制御構成を説明するためのブロック図である。
【００２７】
主制御部２０２は、自動販売機２の各種制御を統括するものであり、ＲＯＭ２０４、ＣＰＵ２０６、制御部ＲＡＭ１４としてのＲＡＭ２０８、周辺回路２１０（タイマ、カウンタ等）を有する。例えば、主制御部２０２は、マイクロコンピュータを中心としてプログラム動作するものである。詳述すると、ＲＯＭ２０４は、後述する複数の従制御部を統括制御するためのプログラムデータ、参照テーブルデータ等が予め記憶されている。尚、ＲＯＭ２０４は、データを製造工程で焼き付け固定するマスクＲＯＭ、データを紫外線消去することによりデータを繰り返し書き込み読み出しできるＥＰＲＯＭ、データを電気消去することによりデータを繰り返し書き込み読み出しできるＥＥＰＲＯＭ（フラッシュＲＯＭを含む）等の不揮発性記憶素子で構成される。ＣＰＵ２０６は、ＲＯＭ２０４から読み出されたプログラムデータの解読結果に従って複数の従制御部を統括制御するものである。尚、ＣＰＵ２０６は、ＲＯＭ２０４のアドレスを指定するアドレスカウンタ、ＲＯＭ２０４から読み出されたプログラムデータを解読するプログラマブルロジックアレイ、論理演算を行う演算論理ユニット、演算データを一時格納するレジスタ等（何れも不図示）を有する。ＲＡＭ２０８は、ＣＰＵ２０６で論理演算される作業データ、複数の従制御部から送信されて来る各種データ等の書き込みと読み出しを行うものである。特に、ＲＡＭ２０８は、自動販売機２がカップ飲料を販売する都度、後述する連番号（Ｎ）、当該カップ飲料の商品名、販売時刻、販売金額を関連付けた売上情報を記憶するためのデータエリアを有する。尚、ＲＡＭ２０８は、ＳＲＡＭ等の揮発性記憶素子で構成され、ＲＡＭ２０８内のデータは、バックアップ電源にて保持される。
【００２８】
カード読取制御部２１２、接客制御部２１４、販売制御部２１６、入出力制御部２１８は、上記の複数の従制御部に相当し、主制御部２０２と同様のＲＯＭ、ＣＰＵ、ＲＡＭ、周辺回路等を有する。
【００２９】
売上情報記憶モジュール１２は、非接触型ＩＣカード１０８内の利用者識別情報、金銭情報等が正当であるものと判別したとき、当該金銭情報をカード読取制御部２１２に送信する。カード読取制御部２１２は、当該金銭情報を主制御部２０２に送信する。主制御部２０２は、当該金銭情報が１杯のカップ飲料の金額以上であるものと判別したとき、商品選択釦１１４を点灯させるための信号を接客制御部２１４に送信する。これにより、商品選択釦１１４が点灯した状態となる。
【００３０】
接客面２２０は、金額表示部１１０、商品選択釦１１４、増量釦１１２、１１４、１１６、減量釦１１８、１２０、１２２、増減表示部１２４、氷なし釦１２６、販売中ランプ１３０、販売中止ランプ１３２等からなるものである。接客制御部２１４は、接客面２２０を制御する。即ち、接客制御部２１４は、主制御部２０２からのカップ飲料販売に関する接客信号を受信することによって、販売中ランプ１３０、販売中止ランプ１３２、販売飲料別の販売可ランプ、売切ランプの点灯消灯を制御したり、更には、複数の商品選択釦１１４の何れかが押下されたときの押下信号を主制御部２０２に送信したりする。
【００３１】
販売制御部２１６は、販売機構部２２２を制御し、接客制御部２１４からの押下信号に応答する主制御部２０２からの販売信号を受信することによって、カップ飲料を調理して商品取出口１２８にて取出可能とするものである。
【００３２】
キー入力部２２４は、数字、記号、アルファベット等のキー及びファンクションキーと、これらのキーの操作に関する内容を表示する記号表示部（有機ＥＬ、ＬＣＤ等）とを、前面に備えたものである。キー入力部２２４は、入出力制御部２１８と有線で接続される。入出力制御部２１８は、キー入力部２２４の操作入力データを主制御部２０２に送信する。これにより、カップ飲料を調理するための各種データ設定を行うことができる。
【００３３】
印刷装置２２６は、売上情報を印刷するための印刷釦２２８を有し、主制御部２０２のＲＡＭ２０８に記憶されている売上情報を印刷媒体に印刷するものである。ルートマンが印刷釦２２８を押下すると、印刷装置２２６は印刷釦２２８の押下信号を主制御部２０２に送信する。主制御部２０２は、当該押下信号に応答して、ＲＡＭ２０８内の売上情報を印刷装置２２６に送信する。これにより、印刷装置２２６は、ＲＡＭ２０８内の売上情報を印刷することができる。また、本実施形態においては、ルートマンが印刷釦２２８を押下すると、前記の印刷と同時に、主制御部２０２は、売上情報記憶モジュール１２に売上情報を売上情報管理センター６に送信させる。
【００３４】
通信部２３２は、自動販売機２の売上情報記憶モジュール１２と売上情報管理センター６との間の通信のインターフェースを行うものである。
【００３５】
本実施形態においては、図３に示される周辺回路２１０としてのカウンタを有する主制御部２０２が、後述する連番号（Ｎ）を売上情報に付与する記号付与手段に相当する。
【００３６】
尚、主制御部２０２と従制御部２１２、２１４、２１６、２１８との間の通信は、主制御部２０２が優先的な送信権を有するポーリング方式、或いは、主制御部２０２及び従制御部２１２、２１４、２１６、２１８が対等な送信権を有するコンテンション方式の何れであってもよい。
【００３７】
＝＝＝自動販売機の売上情報記憶動作＝＝＝
図４を参照しつつ、本発明に係る自動販売機の売上情報記憶動作の一例について説明する。図４は、本発明に係る自動販売機の売上情報記憶動作を説明するためのフローチャートである。尚、図４のフローチャートは、主制御部２０２が主体となって実行するものである。
【００３８】
先ず、利用者が自動販売機２の売上情報記憶モジュール１２の前面で非接触型ＩＣカード１０８を一度翳すと、売上情報記憶モジュール１２は、非接触型ＩＣカード１０８内の利用者識別情報、金銭情報を読み取り双方の正当性を判別する。この際、非接触型ＩＣカード１０８内の金銭情報は、売上情報記憶モジュール１２に一旦移動する。売上情報記憶モジュール１２は、利用者識別情報、金銭情報を正当と判別すると、利用者識別情報、金銭情報を保持する一方、金銭情報をカード読取制御部２１２に送信する。カード読取制御部２１２は、金銭情報を主制御部２０２に送信する。これにより、主制御部２０２は、金銭情報を受信することとなる（Ｓ２：ＹＥＳ）。
【００３９】
主制御部２０２は、金銭情報が１杯のカップ飲料の金額以上であるかどうかを判別する（Ｓ４）。主制御部２０２は、金銭情報が１杯のカップ飲料の金額以上であるものと判別すると（Ｓ４：ＹＥＳ）、商品選択釦１１４の販売可ランプを点灯するための信号を接客制御部２１４に送信する。接客制御部２１４は商品選択釦１１４の販売可ランプを制御し、商品選択釦１１４の販売可ランプは点灯する（Ｓ６）。
【００４０】
利用者が何れか１つの商品選択釦１１４を押下すると、接客制御部２１４は、該当する商品選択釦１１４の押下信号を主制御部２０２に送信する。これにより、主制御部２０２は、商品選択釦１１４の押下信号を受信することとなる（Ｓ８：ＹＥＳ）。
【００４１】
主制御部２０２は、商品選択釦１１４の押下信号を解読して、カップ飲料を販売するための信号を販売制御部２１６に送信する。販売制御部２１６は販売機構部２２２を制御し、販売機構部２２２は、利用者が要求するカップ飲料を調理して商品取出口１２８にて取出可能とする（Ｓ１０）。
【００４２】
販売制御部２１６は、販売機構部２２２がカップ飲料を販売したとき、販売終了信号を主制御部２０２に送信する。これにより、主制御部２０２は、販売終了信号を受信することとなる（Ｓ１２：ＹＥＳ）。
【００４３】
ＲＯＭ２０４は、個々の商品選択釦１１４、商品名、販売金額を関連付けたテーブルデータを記憶している。また、周辺回路２１０のタイマは、現在時刻を計時している。そこで、主制御部２０２は、ＲＯＭ２０４のテーブルデータを参照して該当する商品選択釦１１４と対応する商品名および販売金額を求め、商品名、販売時刻、販売金額を関連付けた売上情報をＲＡＭ２０８に記憶する。この際、本実施形態においては、当該販売に対応する後述の連番号（Ｎ）を前記の売上情報と関連付けて記憶する（Ｓ１４）。この連番号（Ｎ）とは、商品販売の都度、周辺回路２１０としてのカウンタによってインクリメント（＋１）される値である。例えば、当該販売が１００個目の商品の販売であれば、Ｎは１００となる。このようにして得られる連番号（Ｎ）は、ＲＡＭ２０８に記憶される当該販売の販売順序を示すこととなる。
【００４４】
主制御部２０２は、ＲＡＭ２０８が記憶するステップＳ１４の売上情報のうち、販売金額の情報を前記の連番号（Ｎ）と関連付けてカード読取制御部２１２に送信する。カード読取制御部２１２は、連番号（Ｎ）と関連付けられた販売金額の情報を売上情報記憶モジュール１２に送信する。売上情報記憶モジュール１２は、保持している利用者識別情報、販売時刻、販売金額を関連付けた売上情報、即ち、ＲＡＭ２０８と異なる記憶形態の売上情報を内部記憶素子に記憶する。この連番号（Ｎ）は、売上情報記憶モジュール１２の内部記憶素子に記憶される当該販売の販売順序を示す番号となる。更に、売上情報記憶モジュール１２は、保持している金銭情報から販売金額を減算する。そして、利用者が売上情報記憶モジュール１２の前面で非接触型ＩＣカード１０８を再度翳すと、売上情報記憶モジュール１２は、減算後の金銭情報を非接触型ＩＣカード１０８に送信する（Ｓ１６）。
【００４５】
前記の連番号（Ｎ）は、次の販売に備えて１つ増加する。即ち、周辺回路２１０としてのカウンタの計数値Ｎはインクリメント（＋１）される（Ｓ１７）。尚、連番号（Ｎ）は、自動販売機２に対して後述する売上の締めが行われると、１にセットされる。
【００４６】
一方、主制御部２０２は、金銭情報が１杯のカップ飲料の金額未満であるものと判別すると（Ｓ４：ＮＯ）、販売停止信号を接客制御部２１４に送信する。接客制御部２１４は金額表示部１１０を制御し、金額表示部１１０は金銭情報が１杯のカップ飲料の金額未満であることを表示して告知する。同様に、主制御部２０２は、販売停止信号をカード読取制御部２１２に送信する。カード読取制御部２１２は、販売停止信号を売上情報記憶モジュール１２に送信する。そして、利用者が売上情報記憶モジュール１２の前面で非接触型ＩＣカード１０８を再度翳すと、売上情報記憶モジュール１２は、保持している金銭情報を非接触型ＩＣカード１０８に送信する（Ｓ１８）。
【００４７】
尚、この自動販売機２は屋内、屋外等の各種ロケーションに設置されることとなる。また、本実施形態では、非接触型ＩＣカード１０８を商品販売時に２度翳す必要があるが、これに限定されるものではない。
【００４８】
＝＝＝自動販売機の売上情報送信動作＝＝＝
図５を参照しつつ、本発明の自動販売機の決済処理システムに用いる自動販売機の動作について説明する。
図５は、本発明の自動販売機２の決済処理システムに用いる自動販売機管理センター４と、売上情報管理センター６と、自動販売機２の主制御部２０２及び売上情報記憶モジュール１２との間で行なわれる決済処理を説明するための図である。
【００４９】
自動販売機２の売上の締めを行うべく、営業所２０のルートマンが、当該自動販売機２の前扉１０２を開け、例えば当該前扉１０２の裏側にある印刷装置２２６の印刷釦２２８を押下する。このとき、自動販売機２の主制御部２０２は、印刷釦２２８が押下された旨を通知する押下信号を受信する（Ｓ１０１）。
【００５０】
印刷釦２２８の押下信号を受信した主制御部２０２は、売上情報記憶モジュール１２に、当該売上情報記憶モジュール１２の内部記憶素子（不図示）に記憶されている売上情報を売上情報管理センター６に送信するように指示する（Ｓ１０３）。ステップＳ１０３における売上情報とは、連番号（Ｎ）、利用者識別情報、商品の販売時刻、及び商品の販売金額を関連付けた情報である。尚、ステップＳ１０３における売上情報の送信指示は、主制御部２０２からカード読取制御部２１２を介して売上情報記憶モジュール１２に送信される。
【００５１】
ステップ１０３と同時に、主制御部２０２は、印刷装置２２６に当該主制御部２０２のＲＡＭ２０８の売上情報を印刷させる（Ｓ１０５）。ステップＳ１０５において印刷される売上情報とは、連番号（Ｎ）、商品名、販売時刻、販売金額を例えば当該販売時刻に基づいて時系列で配列したものである。
【００５２】
次に、売上情報記憶モジュール１２は、売上情報を売上情報管理センター６に送信し（Ｓ１０７）、売上情報管理センター６は当該売上情報を受信する（Ｓ１０９）。売上情報管理センター６が受信した売上情報は、自動販売機管理センター４に入金処理として送信され、当該売上情報管理センター６と自動販売機管理センター４との間の決済処理が終了することとなる（Ｓ１１１）。
【００５３】
尚、ステップＳ１０５の後、自動販売機２の主制御部２０２は、次販売に備えて連番号（Ｎ）を例えば１にセットする（Ｓ１１３）。
また、本実施形態においては、ステップＳ１０３及びステップＳ１０５のそれぞれにおいて、締めが行われた売上情報を構成する商品の販売数は、例えば後述する２００と設定されている。
【００５４】
＝＝＝売上情報＝＝＝
図６に一例として示される売上情報のデータが、前述した自動販売機の売上記憶動作によって商品の販売毎に累積して形成される。
【００５５】
図６（ａ）は、売上情報記憶モジュール１２の内部記憶素子に形成された売上情報のデータを示す図である。図６（ａ）に示されるように、本実施形態の売上情報データは、１乃至２００番の連番号毎に、利用者識別情報としてのカードＩＤ、商品販売の時刻、及び商品の金額からなっている。本実施形態においては、ステップＳ１１１において売上情報管理センター６から自動販売機管理センター４へ入金とともに送信される売上情報も図６（ａ）に示されるデータの構成を有しているとする。
【００５６】
図６（ｂ）は、主制御部２０２のＲＡＭ２０８に形成された売上情報のデータが示す図である。図６（ｂ）に示されるように、本実施形態の売上情報データは、１乃至２００番の連番号毎に、商品名としての商品ＩＤ、商品販売の時刻、及び商品の金額からなっている。本実施形態においては、前述のステップＳ１０５において印刷されルートマンが営業所２０に持ち帰る印刷媒体に記録される売上情報も図６（ｂ）に示されるデータの構成を有しているとする。
【００５７】
尚、本実施形態においては、売上の締めの際の販売数を２００としたが、これに限定されるものではなく、当該販売数は所定の販売期間等によって様々に設定されてよい。また、図６（ａ）及び図６（ｂ）に示されるように、本実施形態における売上情報のデータには、当該データの終端部に商品の金額の集計額が記録されている。
【００５８】
図６（ａ）におけるデータと、図６（ｂ）におけるデータとの両方には、商品の販売順序と同一の連番号（Ｎ）が付与されている。よって、主制御部２０２の有する周辺回路２１０としてのタイマによって計測された時刻ではなく、例えば２００番という番号に基づいて、売上情報の締めを行うことによって、２つの売上情報のデータにおける商品の内訳を同一のものとすることができる。
【００５９】
本実施形態においては、販売順序と同一の連番号が付与された２つの売上情報を比較することによって、当該２つの売上情報の販売時刻がずれていても、売上情報管理センター４と自動販売機管理センター６との間の決済処理の信憑性を容易且つ正確に判断できる。
【００６０】
＝＝＝自動販売機識別情報＝＝＝
前述のステップＳ１０５において、ＲＡＭ２０８の売上情報を印刷装置２２６に印刷させる際に、当該売上情報とともに売上情報記憶モジュール１２を特定する売上情報記憶モジュールＩＤを印刷してもよい。
【００６１】
図７に示される売上情報のデータは、売上情報記憶モジュールＩＤ、商品の販売順序と同一な連番号、商品ＩＤ、商品販売の時刻、及び商品の金額からなっている。ここで、図７はＲＡＭ２０８に記憶された売上情報が印刷装置２２６によって印刷媒体に印刷された結果を示す図である。尚、図７に示されるデータは、印刷結果だけでなく、ＲＡＭ２０８に記憶される売上情報のデータの構成としてもよい。
【００６２】
前述したように、売上情報管理センター６は、自動販売機管理センター４とは独立しており、売上情報記憶モジュール１２内の売上情報を独立して管理している。よって、自動販売機管理センター４は、売上情報記憶モジュール１２内の売上情報を確認できない状態となっている。よって、もし、例えば売上情報記憶モジュール１２に不具合があって、売上情報管理センター６からの売上情報と前記の印刷媒体に印刷された売上情報とを比較して相違が認められたとき、自動販売機管理センター４のみで当該相違の原因を究明することはできない。この場合、例えば、自動販売機管理センター４から売上情報管理センター６へ、売上情報記憶モジュール１２に関する問い合わせをする必要がある。
【００６３】
このとき、図７に示される売上情報記憶モジュールＩＤに基づいて前記の問い合わせをすれば、売上情報管理センター６において即座に当該売上情報記憶モジュール１２を特定できる。よって、もし、売上情報記憶モジュール１２に不具合があれば、この不具合の有無を確認することが容易となる。従って、売上情報管理センター４と自動販売機管理センター６との間の決済処理の信憑性の判断が容易且つ正確なものとなる。
【００６４】
＝＝＝その他の実施の形態＝＝＝
以上、本発明の自動販売機、及び自動販売機の売上情報処理方法について説明したが、上記した発明の形態は、本発明の理解を容易にするためのものであり、本発明を限定するものではない。本発明は、その趣旨を逸脱することなく、変更、改良され得るとともに、本発明にはその等価物が含まれることは勿論である。
【００６５】
前述した実施の形態においては、連番号として商品の販売順序と同一の数字を用いたが、販売順序を表示するものであればいかなる表示であってもよい。例えば、Ａ、ＡＡ、ＡＡＡ、Ａ４、Ａ５等の記号を含む表示であってもよいし、また、１、１０、１１、１００、１０１等の二進法の表示であってもよい。
【００６６】
また、前述した実施の形態においては、売上情報に対して、商品の販売毎に連番号を付与したが、例えば売上の締めのときに一括して付与してもよい。
【００６７】
更に、前述した実施の形態においては、主制御部２０２が２つの売上情報に対して連番号を付与する記号付与手段を有していたが、売上情報記憶モジュール１２が当該記号付与手段を有していてもよい。このような場合、例えば、売上情報記憶モジュール１２は、利用者識別番号及び金銭情報の正当性を判断したときに連番号を発生させ、商品の販売後に主制御部２０２から当該商品の販売金額の情報を受信したとき、主制御部２０２に当該連番号を送信することとなる。
【００６８】
【発明の効果】
本発明によれば、売上情報管理センターと自動販売機管理センターとの間の決済処理の信憑性を容易且つ確実に判断できる。
【図面の簡単な説明】
【図１】本発明の自動販売機の決済処理システムを説明するためのブロック図である。
【図２】本発明に係る自動販売機の正面図の一例である。
【図３】本発明に係る自動販売機の制御構成を説明するためのブロック図である。
【図４】本発明に係る自動販売機の売上情報記憶動作を説明するためのフローチャートである。
【図５】本発明に係る自動販売機の決済処理システムの動作の一例を説明するためのフローチャートである。
【図６】本発明に係る自動販売機の売上情報のデータの構成の一例を示す図である。
【図７】本発明に係る自動販売機の売上情報のデータの構成のもう一つの例を示す図である。
【図８】従来の自動販売機の売上情報のデータの構成を示す図である。
【符号の説明】
２    自動販売機
４    自動販売機管理センター
６    売上情報管理センター
１０    通信回線
１２    売上情報記憶モジュール
１４    制御部ＲＡＭ
【図１】
2004287741.tif 000003
【図２】
2004287741.tif 000004
【図３】
2004287741.tif 000005
【図４】
2004287741.tif 000006
【図５】
2004287741.tif 000007
【図６】
2004287741.tif 000008
【図７】
2004287741.tif 000009
【図８】
2004287741.tif 000010